(57)【要約】      （修正有）【課題】簡単確実、且つ安価に、金箔やプリント箔の画像を各種素材に箔押し転写することができる箔押し方法を提供する。【解決手段】台木３の先端面にシリコンゴム板２を接合した印判を用意し、加熱したホットプレート５にシリコンゴム板２を圧接してを加熱し、シリコンゴム板２を被転写素材に重ねた転写箔の上部より圧着し、被転写素材に箔を転写する。【選択図】図３
2015136937.tif 000002
【特許請求の範囲】
【請求項１】
箔押本体（１）の台木（３）の先端面にシリコンゴム板（２）を接合した印判を用意し、その後、加熱したホットプレート（５）に該シリコンゴム板（２）を圧接して該シリコンゴム板（２）を加熱し、該シリコンゴム板（２）を被転写素材に重ねた転写箔（８）の上部より圧着することにより、被転写素材に箔を転写することを特徴とする箔押し方法。
【発明の詳細な説明】
【技術分野】
【０００１】  本発明は、誰でも簡単確実、且つ安価に、金箔やプリント箔の画像を各種素材に箔押し転写することができる箔押し方法に関するものである。
【背景技術】
【０００２】  従来、この種の箔押しは熱転写機を用いて行われている。しかしながら、このような機械は需要が限られているために少量生産であることも災いして、非常に高額となるため、さほど需要が多くない一般の家庭や事務所においては、購入することのできないものであった。従ってこの方法は、専門の箔押し業者や印刷業者でのみ用いられるもので、一般には縁のない方法であった。
また簡易的な方法として、家庭用アイロンを用いて熱圧着する方法も提案・市販されているが、アイロンの熱板は硬く弾力が無いため、実際の転写面に対して密着性が悪く、また板面の温度分布にもムラがあるために、完全に転写を成功させるのは至難の技であった。
更に、名刺等の小さい素材の部分的な場所に箔押しをするような場合は、アイロン熱板面が大きすぎて、目的以外の部分にも熱がかかってしまい、不要な部分に金箔が付いたり、素材を熱で傷めたりする欠点を有してした。そのような状況から、アイロンの方法は、実際には趣味や遊び用の用途に限られており、ビジネスとして業務用に利用するには無理があったものである。
【発明の概要】
【発明が解決しようとする課題】
【０００３】  上記で述べた従来の欠点を解決する方法としては、高価な機械を用いることなく、家庭に広く普及しているホットプレートと、シリコンゴム板と木片ブロックを接合して作られた安価な印判を用いて、簡便且つ安価で、業務用途にも利用できる高度な熱圧着ができる箔押し方法を提供することである。
印判の長所としては、たとえば名刺の名前部分だけを金箔で箔押ししたい場合など、名前の占める面積と同等のゴム印面にしておくことにより、他の部分に熱をかけることなく、ポイント的に熱と圧力をかけることができる点である。アイロンのように面積が広いと、手で押圧した力が面全体に分散してしまい、ポイント的には強い力が加えられないと云う欠点があるため、必要最小限の面積で押圧できることは大きな長所である。またシリコンゴムの弾性により、被転写素材面が多少湾曲したり凹凸であっても、その形状に沿って加熱することができるため、画像欠け等の転写不良を防ぐこともできる。更に、印判面を小さく作れば、茶碗の高台（底の輪っか）の内側部分などにも圧着が可能である。
【課題を解決するための手段】
【０００４】  上記目的を達成するために、本発明の箔押し方法において、円筒体や直方体の各種台木を用意する。台木という名称は印章業界で広く用いられているものであり、ゴム印等の印版を貼り付けるための取っ手であり、従来は木製が用いられているが、近年ではプラスチック製や陶器製なども用いられている。本発明で使用される台木もそれに準じることができるが、加熱して素手で持つために、できる限り熱伝導率の低い木質やパルプ質が好ましい。台木の大きさとしては目的の画像の面積に合せて自由に設定することができる。一例としては、端面直径３０ｍｍ、長さ８０ｍｍの円筒形や、端面２０ｍｍ×５０ｍｍ、長さ８０ｍｍの直方体といった大きさが使いやすいものである。
シリコンゴム板としては、用途に応じて様々な硬度が選択できる。一般的には、平坦な面に転写をすると考えて３０度〜５０度程度の比較的軟らかいものが使いやすいものである。ゴムの厚さは１ｍｍ〜５ｍｍが適当である。厚い方が蓄熱される量が多く、一度の加熱で長い時間転写作業をすることができるが、薄い場合は瞬間的に必要温度に加熱され、大量の場合などはスピーディな作業ができる長所もある。また、台木への接合はシリコン接着剤を用いて接着すると良い。
使用するホットプレートは盤面が平坦なものが必要である。最近では小サイズの安価なものも出回っており、１０００円程度で入手が可能である。なお、ホットプレートの代替えとして衣類用のアイロンも使用可能である。盤面の表面温度は２００℃程度でゴム板を熱した場合、転写に最適な１５０℃〜１８０℃のゴム板の表面温度が得られるものである。
更に、転写箔は箔押し用の一般的な転写箔を使用することができる。この転写箔は裏面に接着剤が塗布されており、紙用、プラスチック用で接着剤の溶融温度が設定されており、紙用の場合は約１００℃、プラスチック用は約２００℃である。ゴム板を１５０℃に熱して紙用の転写箔を使えば、ゴム板の形の金ベタの箔が転写されることになる。また、静電式乾式コピー機で文字をプリントした上に、プラスチック用の転写箔を重ねて、上から熱圧着すると、転写箔の接着剤は溶融しないが、コピーのトナーは１５０℃程度で溶融して接着力を生じ、トナーの文字の上だけに金箔が転写されて金文字を作ることができる。
また、トナーを熱接着剤と捉えれば、転写用紙にコピーしたトナー画像を同様の方法で熱転写することも可能である。
【発明の効果】
【０００５】  以上説明したように、本発明の箔押し方法によれば、専門的な設備や技術がなくとも、簡単確実に金箔の箔押しや、コピーの転写プリントができる効果がある。また、使用する用具は家庭で保有しているホットプレートが利用できる便利な効果と、ゴム判は数十円で制作でき、転写箔もＡ４サイズ１枚が５０円程度であるため、子供でも入手が可能なほどの安価である効果がある。また、シリコンゴムの厚みを３ｍｍ〜５ｍｍ程度に厚くすれば、多少の凹凸面にも圧着が可能であり、様々な素材に対応できる効果がある。
更に、ゴム板の大きさや形状を自由に作成でき、ゴム板の面積を小さくすることにより、書類の中の一部分にだけ金箔で着色できる効果と、狭小の凹みの内側部分にも箔押しやコピー転写ができると云う優れた効果がある。
【図面の簡単な説明】
【０００６】
【図１】  円形の箔押本体の円形状の台木に円形のシリコン板を貼着した斜面図である。
【図２】  同じく箔押本体の方形状の台木に方形のシリコン板を貼着した斜面図である。
【図３】  同じく転写箔の上面より箔押本体を押圧した斜面図である。
【図４】  コピーの上より転写箔を押圧した状態の斜面図である。
【図５】  同じく、本発明のトナー画像の上面より転写箔を押圧する斜面図である。
【発明を実施するための形態】
【０００７】  次に、本発明による実施例を図面について説明すると、図１又は図２の箔押本体（１）の円形状又は方形状の台木（３）の先端面に、円形又は方形のシリコンゴム板（２）を接合した印判を用意し、図３で示すように加熱したホットプレート（５）に該シリコンゴム板（２）を圧接して該シリコンゴム板（２）を加熱し、図４で示すように該シリコンゴム板（２）を被転写素材のコピー（７）の上に重ねた転写箔（８）の上部より圧着することにより、図５の如く被転写素材のコピー（７）の上に箔が転写されたトナー画像（９）を得るものである。（６）は該ホットプレート（５）のコード、（１０）は手指である。
【実験例】
【０００８】  台木は木製のブロックを用いた。サイズは直径３０ｍｍ、長さ８０ｍｍの円筒体のものに、直径３０ｍｍ、厚さ３ｍｍ、硬度３０度のシリコンゴムをシリコン接着剤を用いて接合した。同様にして縦２０ｍｍ、横５０ｍｍ、長さ８０ｍｍの直方体の木製ブロックのものも作成したものである。
また、ホットプレートは山善社製ＳＭＧ−７００を用いた。この機種は湿度が固定で盤面が約２００℃に熱せられるが、その上に上記ゴム印台を置くと、約４０秒間でゴム板の温度が１５０℃以上に上昇し、使用できる状態になった。
更に、被転写素材としては、リコー社製のカラーコピー機ＭＰ−Ｃ２５００を用いて絵柄をコピーしたものを使用し、プラスチック用の金色の転写箔を用いてコピーの上に重ね、熱したゴム板を転写箔の上から１秒程度押し当てて、転写箔を剥がすと、絵柄は金色に着色された。
また、ピクア社製転写用紙「コピレタシート」に左右反転で文字をコピーし、被転写素材としての木片にトナー面を当てて、コピレタシートの上から熱したゴム板を３秒程度押し当てて、シートを剥がすと、文字が木片に明瞭に転写された。
【符号の説明】
【０００９】１            箔押本体
２            シリコンゴム板
３            台木
５            ホットプレート
６            コード
７            コピー
８            転写箔
９            トナー画像
１０          手指
【図１】
2015136937.tif 000003
【図２】
2015136937.tif 000004
【図３】
2015136937.tif 000005
【図４】
2015136937.tif 000006
【図５】
2015136937.tif 000007